(57)【要約】【課題】表面構造が平滑でうねりのない好ましい面質をもち、見た目の障害となるような大きさの気泡を含むことのない、丈夫で耐久性のある画像構造を提供する。【解決手段】基材１上に形成される画像Ｇ表面にスリット光線Ｂを照射した条件下で正反射光線の角度分布が３つの特性▲１▼〜▲３▼を満たす。▲１▼　反射光ピークの半値となる角度Ａが、標準角度Ａ０の１倍以上２倍以下である。▲２▼　重心揺らぎＷＳと標準重心揺らぎＷＳとの比、ΔｘＧＷＳ　／ΔｘＧＷＳ０が１０以下である。▲３▼　反射光量がピーク値の１／１０となる角度Ｂが、３×Ａ０以上６×Ａ０以下の範囲である。また、この画像構造を作成するための画像形成装置をも対象とする。【選択図】　図１
2004012716.tif 000002
【特許請求の範囲】
【請求項１】
基材上に形成される画像表面にスリット光線を照射した条件下で正反射光線の角度分布が以下の３つの特性を満たすことを特徴とする画像構造。
▲１▼　反射光ピークの半値となる角度Ａが、光沢標準ガラス板（光沢度９６．８、村上色彩技術研究所製）の表面にスリット光線を照射した条件下で正反射光線の反射光ピークの半値となる角度Ａ０の１倍以上２倍以下である。
▲２▼　スリットの幅方向にｘ軸、長手方向にｙ軸をとり、各ｙ位置におけるｘ軸方向の重心座標ＸＧを算出し、重心座標ＸＧのｙ方向の軌跡を周波数解析して、視覚の周波数応答性の関数を掛けた後に積分した値（重心揺らぎＷＳ）ΔｘＧＷＳ、同様の重心揺らぎＷＳを光沢標準ガラス板（光沢度９６．８、村上色彩技術研究所製）で計算した値ΔｘＧＷＳ０としたとき、ΔｘＧＷＳ　／ΔｘＧＷＳ０が１０以下である。
▲３▼　反射光量がピーク値の１／１０となる角度Ｂが、３×Ａ０以上６×Ａ０以下の範囲である。
【請求項２】
請求項１記載の画像構造において、
対象画像は、白色顔料と熱可塑性樹脂とが少なくとも含まれる光散乱層を有する基材、カラートナー層、そして最上層に透明トナー層が積層されたデジタル写真プリント画像であることを特徴とする画像構造。
【請求項３】
請求項２記載の画像構造において、
前記の基材が、少なくとも、パルプ原料からなる原紙に、白色顔料である酸化チタン粒子を熱可塑性樹脂であるポリエチレン樹脂に分散した光散乱層を積層してなり、透明トナー層の樹脂がポリエステルであることを特徴とする画像構造。
【請求項４】
請求項２記載の画像構造において、
前記の基材が、白色顔料をＰＥＴ樹脂に分散した光散乱層であり、透明トナー層の樹脂がポリエステルであることを特徴とする画像構造。
【請求項５】
作像ユニットにて基材上に画像を形成する画像形成装置であって、
基材上の画像に請求項１記載の画像構造を与えるべく、少なくとも基材の表面を設定することを特徴とする画像形成装置。
【請求項６】
基材上に画像を形成する作像ユニットと、この作像ユニットにより作成された基材上の画像を定着する定着装置とを備えた画像形成装置において、
定着装置は、基材上の画像を挟んで密着する定着部材を具備し、基材上の画像に請求項２記載の画像構造を与えるべく、定着部材及び基材の表面を設定したことを特徴とする画像形成装置。
【請求項７】
請求項６記載の画像形成装置において、
定着装置は、基材上のカラートナー層及び透明トナー層を加熱加圧する加熱加圧手段と、加熱加圧された各トナー層を冷却して定着部材から剥離する冷却剥離手段とを備えていることを特徴とする画像形成装置。
【請求項８】
請求項６記載の画像形成装置において、
作像ユニットは、白色顔料と熱可塑性樹脂とが少なくとも含まれる光散乱層を有する基材上に、カラートナー層及び透明トナー層が静電転写せしめられる静電転写装置を備えていることを特徴とする画像形成装置。
【請求項９】
請求項６記載の画像形成装置において、
作像ユニットは、白色顔料と熱可塑性樹脂とが少なくとも含まれる光散乱層を有する基材上に、カラートナー層が静電転写せしめられる静電転写装置と、
定着装置の定着部材に透明トナー層を形成する透明トナー層形成装置とを備え、
定着装置の定着部材と基材とのニップ部にて基材上のカラートナー層上に透明トナー層を積層することを特徴とする画像形成装置。
【請求項１０】
請求項６記載の画像形成装置において、
透明トナーは、定着過程のトナー層温度における粘度が１０２〜５×１０３Ｐａ・ｓ範囲であることを特徴とする画像形成装置。
【請求項１１】
請求項６記載の画像形成装置において、
定着装置の定着部材の表面にスリット光線を照射した条件下で正反射光線の角度分布が請求項１の▲１▼及び▲３▼を満たすことを特徴とする画像形成装置。
【請求項１２】
請求項６記載の画像形成装置において、
定着装置の定着部材は、硬度が３０度〜６０度（アスカＣ）、厚みが２０〜５０μｍの弾性層を備えていることを特徴とする画像形成装置。
【請求項１３】
請求項６記載の画像形成装置において、
基材のうち表面層を除いた部分の空隙率が５０％以上であることを特徴とする画像形成装置。
【発明の詳細な説明】
【０００１】
【発明の属する技術分野】
本発明は、画像構造及びそれを作成する画像形成装置に係り、特に、好ましい面質を持つデジタル写真プリント画像などの写真画像を想定した画像構造及びそれを作成するための画像形成装置の改良に関する。
【０００２】
【従来の技術】
一般に、好ましいデジタル写真プリント画像を考えると、単に色、階調の再現、粒状性、そして解像度などの画質に限らず、画像表面の見え、つまり面質の再現が重要な意味を持つ。面質は、表面に存在するわずかなうねり、微小なへこみや凸部などに大きく依存している。
近年のインクジェット等の画像形成装置においては、高画質化が進んでおり、例えば“インクジェット記録用カラーペーパーについて”、大林啓治氏　（ハードコピー先端技術研究会　―第５７回定例会配布資料―、（社）日本工業技術振興協会）の資料に記載されるように、特に用紙を中心とした、写真面質の再現を目指す方法や装置に関する発明が数多くなされている。
【０００３】
【発明が解決しようとする課題】
しかし、これらのインクジェット技術においては、用紙が高価であること、シリカコート紙のように空隙層を持つ場合には耐久性がなく、傷が目立つこと、親水性ポリマーコート紙の場合にはインクのにじみが起こること、また、耐水性のないこと、など数々の問題がある。
また、銀塩写真プリントの場合、例えば“写真印画紙用支持体について”淵澤徹郎氏　（ハードコピー先端技術研究会　―第５７回定例会配布資料―、（社）日本工業技術振興協会）の資料にあるように、表面構造に基材構造の悪影響が残り、平滑面を作りにくいこと、これを改善するには高価な樹脂コート層が必要なこと、また、銀塩写真画像形成装置においては装置は大きく、溶剤を使用すること、また、画像面が水にぬれると貼り付きやすいこと、など多くの問題点がある。
【０００４】
また、インクジェット、銀塩写真、電子写真などで一旦作った元画像を、透明樹脂フイルムでラミネートすることで平滑な面を提供する装置や方法もあるが、この場合には下地が平滑でないと、うねりを感じさせる面になってしまうこと、透明樹脂フイルムと元画像との間に気泡を巻き込むこと、透明樹脂フイルムが厚くて高価なこと、などの問題点がある。
【０００５】
これら表面構造に依存する面質を評価することは、より美しい画像を作製する上で重要であり、例えば表面の平均的な光沢感など実際に数々の評価が行われている。
一方、直接表面形状を評価するものとしては、接触・非接触表面粗さ計やレーザー干渉計を使った粗さ評価などがある。
但し、光沢度や表面粗さを制御するだけでは好ましい面質を達成できない。
【０００６】
本発明は、以上の技術的課題を解決するためになされたものであって、表面構造が平滑でうねりのない好ましい面質をもち、見た目の障害となるような大きさの気泡を含むことのない、丈夫で耐久性のあるデジタル写真プリント画像などの画像構造を提供すること、さらには、このような画像構造を簡単に作成する画像形成装置を提供することにある。
【０００７】
【課題を解決するための手段】
すなわち、本発明は、図１に示すように、基材１上に形成される画像Ｇ表面にスリット光線Ｂを照射した条件下で正反射光線の角度分布が以下の３つの特性▲１▼〜▲３▼を満たすことを特徴とする画像構造である。
▲１▼　反射光ピークの半値となる角度Ａが、光沢標準ガラス板（光沢度９６．８、村上色彩技術研究所製）の表面にスリット光線を照射した条件下で正反射光線の反射光ピークの半値となる角度Ａ０の１倍以上２倍以下である。
▲２▼　スリットの幅方向にｘ軸、長手方向にｙ軸をとり、各ｙ位置におけるｘ軸方向の重心座標ＸＧを算出し、重心座標ＸＧのｙ方向の軌跡を周波数解析して、視覚の周波数応答性の関数を掛けた後に積分した値（重心揺らぎＷＳ）ΔｘＧＷＳ、同様の重心揺らぎＷＳを光沢標準ガラス板（光沢度９６．８、村上色彩技術研究所製）で計算した値ΔｘＧＷＳ０としたとき、ΔｘＧＷＳ　／ΔｘＧＷＳ０が１０以下である。
▲３▼　反射光量がピーク値の１／１０となる角度Ｂが、３×Ａ０以上６×Ａ０以下の範囲である。
【０００８】
このような技術的手段において、ここでいう画像Ｇは、主としてデジタル写真プリント画像などの写真画像を対象とするが、電子写真画像（電子写真方式により作成される画像）に限定されるものではなく、静電記録画像（静電記録方式により作成される画像）、インクジェット画像、銀塩写真画像など広く含む。
また、本発明において、画像構造は基材１上に形成されるものを対象としているため、基材１の表面性を切り離しては考えられず、基材１の表面性を考慮し、画像Ｇと共に上述した光学反射特性▲１▼〜▲３▼を満たすことが必要である。
【０００９】
ここで、▲１▼の要件については、Ａ／Ａ０が１を下回る場合には画像が表面側を凹面として湾曲しており、Ａ／Ａ０が２を超える面は平滑感を損なう点で好ましくない。
また、▲２▼の要件については、ΔｘＧＷＳ　／ΔｘＧＷＳ０が１０を超える画像はうねりが目立つ点で好ましくない。
更に、▲３▼の要件については、３×Ａ０未満の画像では、画像表面についた傷、汚れ、更には画像の湾曲や折れ目が目立ち易くなり、また、６×Ａ０を超える画像は表面が平滑でなく、くもり感を与える上で好ましくない。
【００１０】
また、対象画像の代表的態様として、電子写真画像（又は静電記録画像）を例に挙げると、白色顔料と熱可塑性樹脂とが少なくとも含まれる光散乱層を有する基材１、カラートナー層２、そして最上層に透明トナー層３が積層されたデジタル写真プリント画像Ｇが挙げられる。
本態様において、基材１透明トナー層３との組合せについては、例えば前記の基材１が、少なくとも、パルプ原料からなる原紙に、白色顔料である酸化チタン粒子を熱可塑性樹脂であるポリエチレン樹脂に分散した光散乱層を積層してなり、透明トナー層３の樹脂がポリエステルである態様、あるいは、前記の基材１が、白色顔料をＰＥＴ樹脂に分散した光散乱層であり、透明トナー層３の樹脂がポリエステルである態様が好ましい。
【００１１】
更に、本発明は、画像構造のみならず、これを作成する画像形成装置をも対象とする。
この場合、本発明は、図１（ｂ）に示すように、作像ユニット５にて基材１上に画像Ｇを形成する画像形成装置であって、基材１上の画像Ｇに所定の光学反射特性▲１▼〜▲３▼を備えた画像構造を与えるべく、少なくとも基材１の表面を設定するようにしたものである。
ここで、本態様の対象画像は、電子写真画像のみならず、静電記録画像、インクジェット画像、銀塩写真画像をも含むため、作像ユニットとしては各画像に対応した方式のものが広く含まれる。
【００１２】
また、主として電子写真画像又は静電記録画像を対象とする画像構造（白色顔料と熱可塑性樹脂とが少なくとも含まれる光散乱層を有する基材１、カラートナー層２、そして最上層に透明トナー層３が積層されたデジタル写真プリント画像Ｇ）を作成する装置発明としては、図１（ｃ）に示すように、基材１上に画像Ｇを形成する作像ユニット５と、この作像ユニット５により作成された基材１上の画像Ｇを定着する定着装置６とを備えた画像形成装置において、定着装置６が、基材１上の画像Ｇを挟んで密着する定着部材６ａを具備し、基材１上の画像Ｇに対し所定の光学反射特性▲１▼〜▲３▼を備えた画像構造を与えるべく、定着部材６ａ及び基材１の表面を設定したものが挙げられる。
【００１３】
本態様において、作像ユニット５としては定着装置６を必要とするものを対象とし、代表的には電子写真方式、静電記録方式（露光工程を用いない潜像形成工程）のものが挙げられる。
また、定着装置６の定着部材６ａについては特に限定はされず、ベルト材、ロール材など適宜選定して差し支えない。
更に、本態様においては、基材１の表面性以外に定着部材６ａの表面性を考慮することが必要である。
【００１４】
また、本態様において用いられる定着装置６の好ましい態様としては、基材１上のカラートナー層２及び透明トナー層３を加熱加圧する加熱加圧手段７と、加熱加圧された各トナー層を冷却して定着部材６ａから剥離する冷却剥離手段８とを備えているものが挙げられる。
この場合、加熱定着工程と、冷却剥離工程（冷却工程と剥離工程とを別に行う態様、同時に行う態様のいずれをも含む）とは時間差をもって行うことが必要であるため、定着部材６ａとしてベルト材を使用し、加熱定着工程と冷却剥離工程との間を離間配置することが好ましい。
このような態様によれば、加熱加圧工程後に冷却剥離すると、基材１上の画像Ｇ表面部には定着部材６ａの表面性がそのまま転写されるため、定着部材６ａの表面性が良好であれば好ましい画像構造が得られる。
【００１５】
更に、この種の画像形成装置の代表的態様としては、作像ユニット５は、白色顔料と熱可塑性樹脂とが少なくとも含まれる光散乱層を有する基材１上に、カラートナー層２及び透明トナー層３が静電転写せしめられる静電転写装置を備えているものが挙げられる。
また、別の代表的態様としては、作像ユニット５は、白色顔料と熱可塑性樹脂とが少なくとも含まれる光散乱層を有する基材１上に、カラートナー層２が静電転写せしめられる静電転写装置と、定着装置６の定着部材６ａに透明トナー層３を形成する透明トナー層形成装置とを備え、定着装置６の定着部材６ａと基材１とのニップ部にて基材１上のカラートナー層２上に透明トナー層を積層するものであればよい。
【００１６】
ここで、上述した光学反射特性▲１▼及び▲３▼は高周波数域特性であり、主として、画像構造の表面を構成する透明トナーの溶融特性と、この透明トナー層３に接触する定着部材６ａの表面構造とによる。
この種の画像形成装置において、画像の表面を構成する透明トナーの溶融特性の好ましい態様としては、透明トナーは、定着過程のトナー層温度における粘度が１０２〜５×１０３Ｐａ・ｓ範囲であることが挙げられる。
粘度条件の選定については、１０２以下の場合、透明トナーのオフセット防止の点で好ましくなく、５×１０３以上の場合、透明トナーの粒子形状が残り易い（光学反射特性▲１▼を満たさない）ことによる。
【００１７】
また、定着部材６ａの好ましい表面性については、定着装置６の定着部材６ａの表面にスリット光線を照射した条件下で正反射光線の角度分布が上述した▲１▼及び▲３▼を満たすものが好ましい。
【００１８】
一方、上述した光学反射特性▲２▼は低周波数域特性であり、主として定着部材６ａ及び／又は基材１の弾性歪みが影響する。
例えば定着部材６ａの好ましい硬度特性としては、硬度が３０度〜６０度（アスカＣ）、厚みが２０〜５０μｍの弾性層を備えていることが挙げられる。
このとき、硬度が低すぎる又は厚すぎると、トナーや基材１の種類によっては光学反射特性▲２▼が満たされず、また、硬度が高すぎる又は薄すぎると、高濃度部と低濃度部との段差部分が定着部材６ａに密着しにくくなり、均一な表面ができないことによる。
また、基材１の好ましい弾性特性としては、基材１のうち表面層を除いた部分の空隙率が５０％以上であることが挙げられる。
【００１９】
以下、添付図面に示す実施の形態に基づいて本発明を詳細に説明する。
◎実施の形態１
図２（ａ）は本発明が適用された画像構造の実施の形態１を示し、見た目に好ましい表面の面質を提供するデジタル写真プリント画像の断面図である。
同図において、画像構造は、白色顔料と熱可塑性樹脂を少なくとも含む光散乱層を有する基材１１上に、カラートナー層１２、そして最上層に透明トナー層１３が積層される。
【００２０】
基材１１の光散乱層に関し、白色顔料には、酸化チタン、シリカ、アルミナ、炭酸カルシウム、カオリンなど公知の白色顔料を使用できる。また、複数の白色顔料を使うこともできる。白色度の観点から酸化チタンを用いることが好ましい。
一方、熱可塑性樹脂には、ポリエチレン、ポリプロピレン、ポリエステルなど公知の樹脂を使うことができる。
更に、基材１１の厚みは１００μｍ以上、２５０μｍ以下が好ましい。
【００２１】
また、カラートナー層１２は、例えば着色顔料を熱可塑性樹脂に分散してなる公知の電子写真用カラートナー粒子を溶融定着してなる。
前記カラートナーの組成、平均粒径等については、本発明の目的を害しない範囲の中から適宜選択される。
ここで、基材１１との密着性、低温定着性の観点から熱可塑性樹脂はポリエステルであることが好ましい。また、帯電性や流動性の観点からトナー粒子のまわりにはシリカ粒子、酸化チタン粒子などの無機微粒子が付着されることが好ましい。更に、なめらかな調子再現、解像性、粒状性などの観点から体積平均粒子径は３〜１０μｍであることが好ましい。また、前記カラートナーの粒径は、特に限定する必要はないが、後述する露光装置による静電潜像を忠実に再現できる機能を有することを考えると４μｍ以上、８μｍ以下がより望ましい。
【００２２】
また、カラートナーは、少なくとも結着樹脂と着色剤とを含有してなる絶縁性の粒子など適宜選定して差し支えないが、シアン、マゼンタ、イエロの３種類のものを使うことが好ましい。また、これに加えて黒トナーを使ってもよい。
カラートナー層１２の厚みは画像の色や濃度によって異なり、白紙部ではカラートナー層１２はなく、画像濃度に応じて厚みは変化する。後述の好ましい表面の面質を得る観点から、カラートナー層１２は最大厚み部分において、１５μｍ以下が好ましい。
【００２３】
前記結着樹脂としては、透明トナーにおける結着樹脂として後に例示したものが挙げられる。また、結着樹脂は、重量平均分子量５０００〜１２０００のポリエステルであることが好ましい。
また、前記着色剤としては、トナー用として通常用いられている着色剤であれば特に制限はなく、それ自体公知のシアン顔料または染料、マゼンタ顔料または染料、イエロ顔料または染料、ブラック顔料または染料の中から選択できる。好ましくは、高光沢が得られる効果を高めるためには、着色剤の顔料とバインダーの界面での乱反射を抑えることが重要であり、例えば特開平４−２４２７５２号公報に示すように、小粒径の顔料を高分散した着色剤との組合せが有効である。
【００２４】
本実施の形態において、前記カラートナーは適宜作製したものであってもよいし、市販品であってもよい。
なお、前記カラートナーは、適宜選択したそれ自体公知のキャリアと組み合わされて現像剤とされた後で使用される。また、一成分系現像剤として、現像スリーブまたは帯電部材と摩擦帯電して、帯電トナーを形成して、静電潜像に応じて現像する手段も適用できる。
【００２５】
また、透明トナー層１３は透明トナー粒子を溶融定着した層である。
ここで、後述の表面の面質を得るという観点から、透明トナー層１３の厚みは１０μｍ以上であることが好ましい。但し、厚みが３０μｍを超えると、画像のカールやひび割れを生じやすく、３０μｍ以下であることが好ましい。
前記透明トナーは、少なくとも熱可塑性の結着樹脂を含有してなる。
本実施の形態において、『透明トナー』とは、光吸収や光散乱による着色を目的とした色材（着色顔料、着色染料、黒色カーボン粒子、黒色磁性粉など）を含まないトナー粒子であることを意味する。
また、本実施の形態における透明トナーは通常、無色透明であるが、その中に含まれる流動化剤や離型剤の種類や量によっては、透明度が若干低くなっていることがあるが、実質的に無色透明であれば全て適用可能である。
【００２６】
前記結着樹脂としては、実質的に透明であればよく、目的に応じて適宜選択することができるが、例えば、ポリエステル系樹脂、ポリスチレン系樹脂、ポリアクリル系樹脂、その他のビニル系樹脂、ポリカーボネート系樹脂、ポリアミド系樹脂、ポリイミド系樹脂、エポキシ系樹脂、ポリウレア系樹脂などの一般トナー用に用いられる公知の樹脂とその共重合体が挙げられる。これらの中でも、基材１１との密着性、低温定着性、定着強度、保存性などのトナー特性を同時に満足し得る点でポリエステル系樹脂が好ましい。また、結着樹脂は、重量平均分子量が５０００以上４００００以下、かつ、ガラス転移点が５５度以上７５度未満であることが好ましい。
【００２７】
また、前記透明トナーにおいて、高い光沢度をムラなく均一に得るためには、トナーの流動性と帯電性との制御が必要になる。前記透明トナーの流動性と帯電性とを制御する観点から、前記透明トナーのトナー表面に、無機微粒子及び／又は樹脂微粒子を外添ないし付着させることが好ましい。
前記無機微粒子としては、本発明の効果を害しない限り特に制限はなく、外添剤として用いられている公知の微粒子の中から目的に応じて適宜選択することができるが、その材質として例えば、シリカ、二酸化チタン、酸化すず、酸化モリブデンなどが挙げられる。また、帯電性などの安定性を考慮し、これらの無機微粒子に対して、シランカップリング剤、チタンンカップリング剤等を用いて疎水化処理したものも使用できる。
【００２８】
前記有機微粒子としては、本発明の効果を害しない限り特に制限はなく、外添剤として用いられている公知の微粒子の中から目的に応じて適宜選択することができるが、その材質として例えば、ポリエステル系樹脂、ポリスチレン系樹脂、ポリアクリル系樹脂、ビニル系樹脂、ポリカーボネート系樹脂、ポリアミド系樹脂、ポリイミド系樹脂、エポキシ系樹脂、ポリウレア系樹脂、フっ素系樹脂などが挙げられる。
無機微粒子及び有機微粒子の平均粒径は０．００５〜１μｍであるのが特に好ましい。前記平均粒径が０．００５μｍ未満であると、透明トナーの表面に該無機微粒子及び／又は樹脂微粒子を付着させたときに凝集が起こり、所望の効果が得られないことがある一方、１μｍを越えたときにはより高光沢な画像を得ることが困難になる。
【００２９】
前記透明トナーにはワックス（ＷＡＸ）が添加されていることが好ましい。
ＷＡＸの組成としては、本発明の効果を害しない限り特に制限はなく、ＷＡＸとして用いられている公知の材料の中から目的に応じて適宜選択することができるが、その材質として例えば、ポリエチレン系樹脂、カルナバ天然ワックスなどが挙げられる。ここで、融点８０度以上１１０度以下のＷＡＸが２重量％以上８重量％未満の比率で添加されていることが好ましい。
また、前記透明トナーの粒径は、特に限定する必要はない。
但し、かぶりなく厚みの厚いトナー層を形成する観点から、体積平均粒子径は１０〜２５μｍであることが好ましい。
なお、前記透明トナーは、適宜選択したそれ自体公知のキャリアと組み合わされて現像剤とされた後で使用される。また、一成分系現像剤として、現像スリーブまたは帯電部材と摩擦帯電して、帯電トナーを形成して、静電潜像に応じて現像する手段も適用できる。
【００３０】
○変形の形態１
図２（ｂ）は見た目に好ましい表面の面質を提供するデジタル写真プリント画像の別の態様を示す断面図である。
同図において、カラートナー層１２、透明トナー層１３は前記図２（ａ）と同様である。但し、図２（ａ）と異なり、基材１１として、パルプ原料からなる原紙１１ａの上に前記と同様の光散乱層１１ｂが設けられている。
ここで、原紙１１ａの厚みは１００〜２５０μｍであることが好ましい。また、光散乱層１１ｂの厚みは１０〜４０μｍであることが好ましい。
また、光散乱層１１ｂの上にゼラチン層やコロイダルシリカ、コロイダルアルミナなどの帯電防止層が形成されていることが好ましい。
更に、原紙１１ａの裏面にゼラチン層やコロイダルシリカ、コロイダルアルミナなどの帯電防止層が形成されていることが好ましい。
【００３１】
○変形の形態２
図２（ｃ）は見た目に好ましい表面の面質を提供するデジタル写真プリント画像の更に別の態様を示す断面図である。
同図において、カラートナー層１２、透明トナー層１３は前記図２（ａ）と同様である。但し、図２（ａ）と異なり、基材１１としては白色顔料粒子をＰＥＴ樹脂中に分散してなるものが使用されている。
ここで、基材１１の厚みは８０〜２００μｍであることが好ましい。
【００３２】
○特性評価装置
図３（ａ）は実施の形態１（又は変形の形態１，２）に係る画像構造の光学反射特性を評価するための特性評価装置の一例を示す。
同図に示す特性評価装置において、光源２１からの光をレンズ２２で収束させ、ピンホール２３でサイズを絞り、コリメータレンズ２４によって平行光線束とする。この光線束を光束絞り２５によって、所望のサイズの平行光線束とする。これを、線像形状のアパーチャ２６を通して、実施の形態１（又は変形の形態１，２）の画像２７に入射角４５度で照射する。この入射光線に対して、正反射方向に位置する二次元撮像装置２８に照射し、光線束の強度分布を測定する。
この強度分布を、線像の長手方向と直行するＸ方向の分布と線像の長手方向と平行のＹ方向の分布として、画像処理装置２９を使って解析する。
【００３３】
ここで、光源２１は、５０Ｗハロゲンランプが使われている。
レンズ２２は、光源２１の光をピンホール２３位置で収束させ、ピンホール２３における光の強度を高めることを目的としている。本特性評価装置の場合、例えば焦点距離１５ｍｍ、口径　２０ｍｍΦのレンズを用いている。
ピンホール２３は、コリメータレンズ２４透過後の光線束の平行度を高める機能を有する。ピンホール２３の径が小さいほど平行度は高められるが、光線束の強度はピンホール２３径の２乗に比例して減るので、照明の明るさ、センサの感度等を考慮して好ましいサイズを選ぶとよい。本特性評価装置では、ピンホール２３としては０．２ｍｍΦの小穴の空いた光不透過の金属膜を使っている。
【００３４】
コリメータレンズ２４は、ピンホール２３を抜けた光を平行光線束に変換するためのもので、焦点距離ｆの長い方が高い平行度を得られる。装置の大きさ等を考慮して、焦点距離２００ｍｍ、口径４０ｍｍΦのレンズを使っている。
また、アパーチャ２６は、図３（ｂ）に示すように、線像形状の透過光線束を作るためのスリット２６ａを備えている。本特性評価装置では、幅０．４ｍｍ、長さ１０ｍｍ矩形形状のスリット２６ａを使っている。
このようなスリット２６ａを選定した理由は以下の通りである。
すなわち、画像を照らす線幅は狭いほど評価の解像性は高くなる。スリット２６ａ幅が広い場合、線幅方向の面質情報が平均化されてしまい、所望の解像性が得られない。但し、線幅が細すぎる場合、センサに入射される光線束の強度が減り、また、回折による線像の広がりが大きくなるため、これらのバランスを配慮して０．４ｍｍ幅のスリット２６ａを用いた。
一方、スリット２６ａの長さは長いほど情報量は増えるが、光線束の径とセンササイズを考慮して上記の長さを選択した。
【００３５】
また、アパーチャ２６と画像２７との距離は近い方が回折の影響は減り、画像を照らす幅は狭まる。そこで、スリット２６ａと画像２７とが干渉しない最低限の距離を選び、アパーチャ２６−画像２７間距離を１５ｍｍとした。
一方、画像保持台等を使って、平滑な面を保つように画像２７を固定する。また、入射光線束と画像２７の法線とがなす角度は４５度である。
そして、二次元撮像装置２８により、画像２７で表面反射された光の強度分布を測定する。この二次元撮像装置２８にはコダック社製二次元ＣＣＤカメラ　Ｍｅｇａプラス４．２、２０４８＊２０４８画素、画素サイズ　９μｍ、赤外カットフィルタ付きを用いた。
そして、ノイズ軽減のため、シャッタスピード５００ｍｓ、Ｇａｉｎ　−６ＤＢの条件で撮像した。反射光量の最大値が８ｂｉｔのレンジ内に収まるように、スリットの前にＮＤフィルタを挿入し、露光量を調節した。また、画像面と撮像面距離は１６５ｍｍとした。
この結果、反射面からの角度は１画素当り５．４５×１０−５ｒａｄ　（０．００３１３度）相当となった。
【００３６】
ここで、後述する評価値▲１▼〜▲３▼の値は標準光沢板（光沢度測定用標準板）との相対値で比較されるため、評価値の計算においては角度と比例する値である画素座標の値を角度値の代わりにそのまま使用できる。
撮像結果の例を図４（ａ）（ｂ）に示す。
図４（ａ）は標準光沢板を撮像した例、図４（ｂ）はフォトクオリティ紙を撮像した例を示す。尚、後者は本実施の形態の好ましい範囲に入らない画像構造である。
【００３７】
更に、画像処理装置２９では、二次元撮像装置２８で得た強度分布を、線像の長手方向と直行するＸ方向の分布と線像の長手方向と平行のＹ方向の分布にとった画像として記憶し、ＣＣＤの暗電流、リセットノイズ補正、Ｘ軸とＹ軸の傾き補正を施した後、以下の▲１▼〜▲３▼の評価値（特性値）を計算した。
▲１▼半値幅の計算
各ＹにおけるＸ方向の反射分布において、反射率の最大値Ｒｍａｘを求め、反射率がこの半値となる２つのＸ値における差分の絶対値をＡ（Ｙ）とし、下記の式によりＡを計算した。
平均半値幅：Ａ　＝ΣＡ（ｉ）／ｎ
また、評価画像の替わりに村上色彩技術研究所（株）製の光沢度測定用標準板　（黒色、Ｇｌｏｓｓ９８．６）を画像固定台にのせ、同様の測定を行った結果（図４（ａ）参照）をもとに計算を行ないＡ０を求めた。
Ａ／Ａ０が１を下回る場合には画像が表面側を凹面として湾曲しているので好ましい面質ではない。また、Ａ／Ａ０が２を超える面は、平滑感を損なう面として好ましい印象を与えない。
【００３８】
▲２▼重心変動の見えΔｘＧＷＳの計算
▲２▼の特性値は反射像のうねりの見え方と対応する指標である。以下の式で計算した。
まず、各Ｙにおける重心座標：ｘＧ（ｙ）は以下の式で求めた。ここで、Ｒ（ｊ，ｙ）は、Ｘ＝Ｊ、Ｙ＝ｙにおける反射率の値である。
ｘＧ（ｙ）　＝Σ［ｊ・Ｒ（ｊ，ｙ）］／ΣＲ（ｊ，ｙ）
重心変動の見え：ΔｘＧＷＳは以下の式で計算される。
ΔＸＧ（ｕ）　＝∫ΔｘＧ（ｙ）・ｅ−２πｉｕｙ　ｄｙ
ΔｘＧＷＳ　＝∫ΔＸＧ（ｕ）・ＶＴＦ（ｕ）　ｄｕ
ｕ≧０．７８
ＶＴＦ（ｕ）　＝　５．０５・ｅ‐０．８４３ｕ・（１−ｅ‐０．６１１ｕ）
ｕ＜０．７８
ＶＴＦ（ｕ）　＝　１．００
また、評価画像の替わりに村上色彩技術研究所（株）製の光沢度測定用標準板　　（黒色、Ｇｌｏｓｓ９８．６）を画像固定台にのせ、同様の測定と計算を行ない、重心変動の見えΔｘＧＷＳ０を得た。
ΔｘＧＷＳ／ΔｘＧＷＳ０が１０を超える画像は、うねりが目立つので、好ましい見えをもつ面質の画像ではなかった。
【００３９】
▲３▼　１／１０値幅の計算
各ＹにおけるＸ方向の反射分布において、反射率の最大値Ｒｍａｘを求め、反射率がこの１／１０の値となる２つのＸ値における差分の絶対値をＢ（Ｙ）とし、下記の式によりＢを計算した。
平均半値幅：Ｂ　＝ΣＢ（ｉ）／ｎ
Ｂが３×Ａ０未満の画像の場合には、画像表面についた傷や汚れ、さらには画像の湾曲や折れ目が目立ちやすく、見た目の好ましさを損なう。また、Ｂが６×Ａ０を超える画像は表面が平滑でなく、くもり感を与えるので好ましい印象を与えず、さらに色再現性や高濃度再現性に劣る画像となる。
【００４０】
◎実施の形態２
次に、実施の形態１（又は変形の形態１，２）に係る画像構造を作成するためのカラー画像形成装置の一例（実施の形態２）を示す。
本実施の形態に係るカラー画像形成装置は、例えば図５に示すように、白色顔料と熱可塑性樹脂を少なくとも含む光散乱層を少なくとも有する基材１１に、カラートナー層１２、そして最上層に透明トナー層１３が積層された写真画像（図２参照）を形成する作像ユニット３０と、この作像ユニット３０にて形成された基材１１上の各トナー層を定着させる定着装置４０と、画像が形成された基材１１を定着装置４０に搬送する搬送装置５０とを備えている。
【００４１】
ここで、作像ユニット３０としては、公知の電子写真方式のトナー画像形成装置が用いられる。
また、定着装置４０としては適宜選定して差し支えないが、ベルト状定着部材（定着ベルト４１）を有し、このベルト状定着部材にて基材１１上の画像を加熱加圧する加熱加圧装置と、加熱加圧された後に基材を冷却剥離する冷却剥離装置とを備えることが好ましい。
ここで、ベルト状定着部材にはポリイミド等のポリマフィルムを用いることができる。導電性カーボン粒子や導電性ポリマ等の導電性の添加材を分散するなどにより抵抗値が調節されていることが好ましい。形状はシート状のものであってもよいが、無端ベルト形状のものを使うことも好ましい。また、剥離性や面質の観点から、前記ベルト表面が、シリコン樹脂、及び／またはフッ素系樹脂によって被覆されていることが好ましい。
【００４２】
また、前記加熱加圧装置には、公知のものを使うことができる。
例えば一定速度で駆動された一対のロールの間にベルト状定着部材及び画像が形成された基材１１を挟んで駆動するものが挙げられる。
ここで、このロールの一方または両方ともに、例えば内部に熱源を備える等の装置で、その表面が透明トナーの溶融する温度に加熱されており、かつ、二つのロールは圧接されている。好ましくは、一方または両方のロール表面にはシリコンゴムまたはフッ素ゴム層が設けられていて、加熱加圧される領域の長さが１〜８ｍｍ程度の範囲にあることがよい。
【００４３】
更に、前記冷却剥離装置としては、ベルト状定着部材にて加熱加圧された基材１１を冷却した後に剥離部材にて基材１１を剥離するものが挙げられる。
このとき、冷却手段としては、自然冷却でもよいが、装置の大きさの観点から、ヒートシンクまたはヒートパイプ等の冷却部材を使って冷却速度を速めることが好ましい。また、剥離部材としては、剥離爪をベルト状定着部材と基材１１の間に挿入する態様や、剥離位置に曲率の小さなロール（剥離ロール）を設けて剥離させる態様が好ましい。
【００４４】
また、カラー画像が形成された基材１１を定着装置４０に搬送する搬送装置５０には、それ自体公知の搬送装置を使うことができる。搬送速度が一定であることが好ましいので、例えば、一定の回転数で回る一対のゴムロールの間に前記基材１１を挟んで駆動する装置、あるいは、一方がモータ等で一定速度に駆動された一対のロールにゴム等でできたベルトを巻いて、このベルトの上に前記基材１１をおいて定速駆動する装置を使うことができる。未定着のトナー画像が形成されている場合は、トナー像を乱さないという観点から後者の装置が好ましい。
【００４５】
以下に、図５に示す画像形成装置をより具体的に説明する。
同図において、作像ユニット３０としては、感光体ドラム３１の周囲に、図示外の帯電器と、原稿３２を露光走査して感光体ドラム３１上に静電潜像を形成する露光装置３３と、イエロ、マゼンタ、シアン、ブラックの各色トナー及び透明トナーが収容された現像器３４ａ〜３４ｅを搭載したロータリ型現像装置３４と、感光体ドラム３１上の画像を一時的に保持する中間転写ベルト３５と、感光体ドラム３１上の残留トナーを清掃する図示外のクリーニング装置とを配設し、前記中間転写ベルト３５のうち感光体ドラム３１の対向部位には一次転写装置（例えば転写コロトロン）３６を配設すると共に、中間転写ベルト３５のうち基材１１の通過部位には二次転写装置３７（本例では中間転写ベルト３５及び基材１１を挟む一対の転写ロール３７ａ及びバックアップロール３７ｂを配設したものが用いられる。
【００４６】
ここで、露光装置３３は、原稿３２に照明ランプ３３１からの光を照射し、原稿３２からの反射光をカラースキャナ３３２にて色分解し、これを画像処理装置３３３にて画像処理した後、例えばレーザダイオード３３４及び光学系３３５を通じて感光体ドラム３１の露光ポイントに静電潜像書込光を照射するものである。
また、定着装置４０は、適宜数（本例では４つ）の張架ロール４２〜４５に掛け渡される定着ベルト４１（例えば表面にＳｉゴムが塗布されたベルト材を使用）と、この定着ベルト４１の入口側に位置する張架ロールを加熱可能に構成した加熱ロール４２と、この定着ベルト４１の出口側に位置する張架ロールを基材１１が剥離可能となるように構成する剥離ロール４５と、前記加熱ロール４２に対向して定着ベルト４１を挟んで圧接配置される加圧ロール４６（必要に応じて熱源を付加して差し支えない）と、定着ベルト４１の内側に設けられ且つ加熱ロール４２から剥離ロール４５に至る途中で定着ベルト４１を冷却する冷却部材としてのヒートシンク４７とを備えている。
【００４７】
次に、本実施の形態に係る画像形成装置の作動について説明する。
図５に示すように、本実施の形態に係る画像形成装置を用いてカラーコピーをとる場合には、まずコピーをとる原稿３２に照明ランプ３３１からの光を照射し、その反射光をカラースキャナ３３２により色分解し、画像処理装置３３３で画像処理して色補正を施して得られる複数色のカラートナーの画像データと透明トナーの画像データとを色別にレーザダイオード３３４を用いて、変調されたレーザ光線とする。
このレーザ光線を感光体ドラム３１に１色ずつ複数回照射して複数個の静電潜像を形成する。これら複数個の静電潜像については、透明トナー及びイエロ、マゼンタ、シアン、ブラックの四色のカラートナーを用い、これらを透明トナー現像器３４ｅ、イエロ現像器３４ａ、マゼンタ現像器３４ｂ、シアン現像器３４ｃ、ブラック現像器３４ｄにて順番に現像する。
【００４８】
そして、現像されたカラートナー像及び透明トナー像は、感光体ドラム３１上から中間転写ベルト３５上に一次転写装置３６（転写コロトロン）にて順次転写され、中間転写ベルト３５上に転写された透明トナー像及び四色のカラートナー像は、二次転写装置３７にて基材１１に一括転写される。
このようにして、カラートナー像、さらには透明トナー像が形成された基材１１は、図６に示すように、搬送装置５０を経て定着装置４０に搬送される。
【００４９】
次に、この定着装置４０の作動について説明すると、加熱ロール４２及び加圧ロール４６は共にトナーの溶融温度に予め加熱されている。また、二つのロール４２，４６間には例えば荷重１００ｋｇ重の力が加えられている。更に、二つのロール４２，４６は回転駆動されており、これに追従して定着ベルト４１も駆動されている。
そして、定着ベルト４１は、加熱ロール４２と加圧ロール４６とのニップ部で、カラートナー像と透明トナー像が形成された基材１１の表面と接触し、カラートナー像及び透明トナー像が加熱溶融される（加熱加圧工程）。
すると、基材１１と定着ベルト４１とは溶融したトナー層を介して接着された状態で剥離ロール４５まで運ばれるが、この間に、定着ベルト４１、透明トナー像、カラートナー像及び基材１１はヒートシンク４７で冷却される（冷却工程）。
このため、基材１１が剥離ロール４５に到達すると、剥離ロール４５の曲率によって、透明トナー像、カラートナー像及び基材１１は一体となって定着ベルト４１から剥離する（剥離工程）。
以上により、基材１１上に高光沢のカラー画像が形成される。
【００５０】
このような作像過程において、基材１１及び定着ベルト４１については、画像構造の光学反射特性▲１▼〜▲３▼の評価値が所望の範囲に収まるように選定することが必要である。
例えば▲１▼の要件については、Ａ／Ａ０が２を超える場合には、定着ベルト４１の表面粗さを小さくすることが好ましい。
一方、Ａ／Ａ０が１未満の場合、基材１１の厚みを増やす、裏面に熱可塑性樹脂層を設けることが好ましい。
また、▲２▼の要件については、ΔｘＧＷＳ／ΔｘＧＷＳ０が１０を超える場合、平滑性が高く、地合いのむらのない原紙を用いることが好ましい。また、定着ベルト４１表面にゴム層が設けられている場合、その硬度を高めるまたは厚みを薄くすることも好ましい。
更に、▲３▼の要件については、Ｂ／Ｂ０が３を下回る場合、表面に有機若しくは無機のフィラーまたは微粒子を添加したゴム層を有する定着ベルト４１を用いることが好ましい。
Ｂ／Ｂ０が６を超える場合、表面の粗さが細かい定着ベルト４１を用いることが好ましい。また、表面に有機若しくは無機のフィラーまたは微粒子を添加したゴム層を有するベルトを用いる場合には、フィラーまたは微粒子のサイズを小さくすることが好ましい。
【００５１】
より具体的に述べると、定着ベルト４１の表面については、光学反射特性▲１▼及び▲３▼を満たす定着ベルト４１を選定するようにすればよい。
この場合、画像Ｇの表面を構成する透明トナーの溶融特性を好ましい範囲に選定すれば、定着ベルト４１の表面形状が基材１１上の画像Ｇにそのまま転写される。
ここで、透明トナーの好ましい溶融特性としては、トナー樹脂として、定着過程のトナー層温度における粘度が１０２〜５×１０３Ｐａ・ｓ範囲であればよい。
１０２以下であると、透明トナー層のオフセット（定着ベルト４１に透明トナーが残留し易い）という問題があり、また、５×１０３以上であると、透明トナーの粒子形状が残り、▲１▼の要件を充足し難い。
尚、本態様では、粘度は、例えば回転平板型レオレータ（レオメトリックス社製：ＲＤＡＩＩ）を用いて、歪み量２０％、角速度１ｒａｄ／ｓｅｃ．の下で測定した。
【００５２】
また、▲２▼の要件に寄与する因子としては、定着ベルト４１及び基材１１の弾性特性が挙げられる。
定着ベルト４１の好ましい硬度特性としては、硬度（アスカＣ）が３０度〜６０度、厚みが２０μｍ〜５０μｍの弾性層を備えていればよい。
硬度が低すぎる又は弾性層が厚すぎると、トナーや基材１１によっては▲２▼の要件が満たされない。
一方、硬度が高すぎる又は弾性層の厚さが薄すぎると、高濃度部と低濃度部との段差部分が定着ベルト４１に密着し難くなり、均一な表面ができない。
更に、基材１１の好ましい弾性特性については、基材１１のうち、表面層を除いた紙部分における空隙率が５０％以上であればよい。
尚、本態様において、空隙率の評価法は、水銀圧入法を使ったポロシメータ（株式会社島津製作所製）で測定した。
【００５３】
◎実施の形態３
次に、実施の形態１（又は変形の形態１，２）に係る画像構造を作成するためのカラー画像形成装置の一例（実施の形態３）を示す。
本実施の形態に係るカラー画像形成装置は、例えば図７に示すように、白色顔料と熱可塑性樹脂を少なくとも含む光散乱層を少なくとも有する基材１１に、カラートナー層１２及び透明トナー層１３からなる写真画像（図２参照）を形成する作像ユニット３０と、この作像ユニット３０にて形成された基材１１上の各トナー層を定着させる定着装置４０と、画像が形成された基材１１を定着装置４０に搬送する搬送装置５０とを備えているが、実施の形態２と異なり、作像ユニット３０は、ロータリ型現像装置３４の透明トナー現像器３４ｅに代えて、定着装置４０のベルト状定着部材（定着ベルト４１）上に透明トナー像が形成せしめられる透明トナー像形成装置６０を具備したものである。
【００５４】
本実施の形態において、作像ユニット３０、定着装置４０及び搬送装置５０の基本的構成は実施の形態２と略同様であり、同様な構成要素については実施の形態２と同様な符号を付してここではその詳細な説明を省略する。
特に、本実施の形態では、透明トナー像形成装置６０は、透明トナー像担持体６１（ドラム状又はベルト状を問わない）を有し、この透明トナー像担持体６１上に透明トナー像が形成せしめられる各デバイスを備えたものである。
【００５５】
ここで、透明トナー像担持体６１としては、ポリイミド等のポリマフィルムを用いることができる。安定に一定量の透明トナー像を形成するためには、導電性カーボン粒子や導電性ポリマー等の導電性の添加材を分散するなどにより抵抗値が調節されていることが好ましい。
また、形状はシート状のものであってもよいが、無端ベルト状のものを使うことも好ましい。また、剥離性の観点から、前記ベルト表面が、シリコン樹脂、及び／またはフッ素系樹脂によって被覆されていることが好ましい。また、平滑性の観点から、７５度光沢度計で測ったときの表面の光沢度が６０以上であることが好ましい。
【００５６】
更に、透明トナー像を形成するためのデバイスとしては適宜選定して差し支えなく、それ自体公知の現像装置を使うことができる。
例えば、透明トナー像担持体６１の裏面に接地またはバイアス電圧を印加したロールが接触した状態にある位置で、一成分現像装置や二成分現像装置を対向させて透明トナー層を透明トナー像担持体６１に直接現像する態様がある。
ここで、透明トナー現像装置の位置における前記透明トナー像担持体６１の温度が６０度以下であることが好ましい。
【００５７】
また、透明トナー像形成装置６０として電子写真方式を採用すれば、透明トナー像担持体６１として例えば感光体ドラムを用い、この感光体ドラム６１に対向する帯電装置６２、感光体ドラム６１を露光する露光装置６３、カラー画像上の透明トナー像の形成領域を制御するための透明領域信号形成装置６４、感光体ドラム６１に対向する透明トナー像現像装置６５、感光体ドラム６１上の透明トナー像をベルト状定着部材（定着ベルト）４１に転写する転写装置６６とからなることが好ましい。
【００５８】
ここで、感光体ドラム６１としては、特に制限はなく公知のものでよく、単層構造のものであってもよいし、多層構造で機能分離型のものであってもよい。また、材質としては、セレン、アモルファスシリコン等の無機ものであってもよいし、有機のものであってもよい。
また、帯電装置６２には、例えば、導電性または半導電性のロール、ブラシ、フィルム、ゴムブレード等を用いた接触帯電、コロナ放電を利用したコロトロン帯電やスコロトロン帯電などのそれ自体公知の手段を使うことができる。
更に、露光装置６３には、半導体レーザ、走査装置及び光学系からなるレーザ走査装置（ＲＯＳ：Ｒａｓｔｅｒ　Ｏｕｔｐｕｔ　Ｓｃａｎｎｅｒ）、ＬＥＤヘッド、ハロゲンランプなどの公知の露光用光源を使うことができる。
本例では、露光装置６３には透明領域信号形成装置６４が付設されており、透明領域信号に基づいて露光像の領域、すなわち、透明トナー像で被覆する基材１１上の位置を所望範囲に変化させるという好ましい実施形態を考えると、レーザ走査装置またはＬＥＤヘッドを使うことが好ましい。
【００５９】
透明トナー像現像装置６５は、感光体ドラム６１上に均一な透明トナー層を形成できるという目的を果たす限り、一成分、二成分を問わず公知の現像装置を使うことができる。尚、本例では、透明領域信号形成装置６４からの信号に基づいて透明トナー層の形成範囲を制御するようにしているが、特に、基材１１全面に渡って透明トナー層を形成するようにしても差し支えない。
また、転写装置６６には、例えば、電圧を印加した導電性または半導電性のロール、ブラシ、フィルム、ゴムブレード等を用いて、感光体ドラム６１と定着ベルト４１との間に電界を作り、荷電の透明トナー粒子を転写する態様や、コロナ放電を利用したコロトロン帯電器やスコロトロン帯電器などを用い、定着ベルト４１の裏面をコロナ帯電して荷電の透明トナー粒子を転写する態様など、公知の手法を使うことができる。尚、図７では、張架ロール４３を転写装置６６としての機能部材とした態様が示されている。
【００６０】
次に、本実施の形態に係る画像形成装置の作動について説明する。
図７に示すように、本実施の形態に係る画像形成装置を用いてカラーコピーをとる場合には、まずコピーをとる原稿３２に照明ランプ３３１からの光を照射し、その反射光をカラースキャナ３３２により色分解し、画像処理装置３３３で画像処理して色補正を施して得られる複数色のカラートナーの画像データと透明トナーの画像データとを色別にレーザダイオード３３４を用いて、変調されたレーザ光線とする。
このレーザ光線を感光体ドラム３１に１色ずつ複数回照射して複数個の静電潜像を形成する。これら複数個の静電潜像については、イエロ、マゼンタ、シアン、ブラックの四色のカラートナーを用い、イエロ現像器３４ａ、マゼンタ現像器３４ｂ、シアン現像器３４ｃ、ブラック現像器３４ｄにて順番に現像する。
【００６１】
そして、現像されたカラートナー像は、感光体ドラム３１上から中間転写ベルト３５上に一次転写装置３６（転写コロトロン）にて順次転写され、中間転写ベルト３５上に転写された四色のカラートナー像は、二次転写装置３７にて基材１１に一括転写される。
このようにして、カラートナー像が形成された基材１１は、図８に示すように、搬送装置５０を経て定着装置４０に搬送される。
【００６２】
次に、定着装置４０及び透明トナー像形成装置６０の作動について説明する。
加熱ロール４２及び加圧ロール４６は共にトナーの溶融温度に予め加熱されている。また、二つのロール４２，４６間には例えば荷重１００ｋｇ重の力が加えられている。更に、二つのロール４２，４６は回転駆動されており、これに追従して定着ベルト４１も駆動されている。
そして、基材１１の搬送に同期して、透明トナー像形成装置６０の透明トナー像担持体である感光体ドラム６１が回転し、帯電装置（例えば帯電ロール）６２にバイアス電圧が加えられて感光体ドラム６１が一様帯電する。この感光体ドラム６１には、透明領域信号形成装置６４からの画像信号に基づき、露光装置６３による露光が行われる。
【００６３】
このとき、露光部は電位が低下するが、この部分が透明トナー像現像装置６５で現像される。この後、バイアス電圧が印加されている転写装置（転写ロール）６６により、図８に示すように、感光体ドラム６１上の透明トナー像が定着ベルト４１側に転写される。
すると、透明トナー像の転写された定着ベルト４１は、加熱ロール４２及び加圧ロール４６のニップ部で、カラートナー像が形成された基材１１の表面と接触し、カラートナー像（カラートナー層１２）及び透明トナー像（透明トナー層１３）は加熱溶融される（加熱加圧工程）。
【００６４】
すると、基材１１と定着ベルト４１とは溶融したトナー層を介して接触された状態で剥離ロール４５まで運ばれるが、この間に、定着ベルト４１、透明トナー像、カラートナー像及び基材１１はヒートシンク４７で冷却される（冷却工程）。
このため、剥離ロール４５に到達すると、剥離ロール４５の曲率によって、透明トナー像、カラートナー像及び基材１１は一体となって定着ベルト４１から剥離する（剥離工程）。
以上により、基材１１上に高光沢のカラー画像が形成される。
【００６５】
◎実施の形態４
本実施の形態に係る画像形成装置はインクジェット方式を採用したものである。
インクジェット画像の表面は、基材１１自身の表面をそのまま反映する。
従って、インクジェット方式の場合には、光学反射特性▲１▼〜▲３▼を満たす基材１１を準備すればよい。
ここで、基材１１の表面を決める因子としては、図９（ａ）に示すように、印画紙ベース（レジンコート層７１＋紙７２＋レジンコート層７３＋受容層７４）の場合、紙７２自体の表面性、レジンコート層７１（及び／又はレジンコート層７３）の厚み、受容層７４の物性を反映する。
このとき、紙７２の表面を平滑化する、レジンコート層７１（７３）の厚みを厚くする、受容層７４の厚みを厚くする、受容層７４のシリカやアルミナなどの粒子サイズを小さくする、受容層７４の塗膜材料の溶媒比率を下げるなどで、光学反射特性の▲１▼，▲２▼の要件を満たすことは可能であるが、▲３▼の要件を満たすことは難しい。
【００６６】
▲３▼を満たすために、受容層７４にフィラーを入れることも好ましいが、色再現の観点から、フィラーの透明性と散乱のないことが重要となる。透明性と散乱のないことのためには、フィラーサイズを小さくすること、または、受容層７４を構成する樹脂成分とフィラーとの屈折率差を小さくすることが好ましい。但し、単にフィラーサイズを小さくするだけでは▲３▼の要件を満たすことができない。
▲３▼の要件を満たすための好ましい手段としては、受容層７４の塗布装置にカレンダー処理装置などの表面形状制御手段を具備させ、塗布した後にロール等で押圧してロール表面の形状を転写し、そして予め研磨やバフなどによって、▲１▼〜▲３▼の要件を満たすようにロール表面を加工しておけばよい。
【００６７】
また、図９（ｂ）に示すように、印画紙ベースがＰＥＴなどのフィルムベース７５の場合、平滑な表面をもつフィルムを用い、受容層７６のシリカやアルミナなどの粒子サイズを小さくすることなどで▲１▼と▲２▼の要件を満たすことは可能であるが、▲３▼を満たすことは難しい。
このとき、▲３▼の要件を満たすためには、図９（ａ）の態様と同様な処理を施すようにすればよい。
【００６８】
◎実施の形態５
本実施の形態に係る画像形成装置は銀塩写真方式を採用したものである。
銀塩写真画像の表面も、印画紙基材１１自身の表面をそのまま反映する。
従って、銀塩写真方式の場合には、光学反射特性▲１▼〜▲３▼を満たす印画紙基材１１を準備すればよい。
ここで、基材１１の表面を決める因子としては、図１０に示すように、印画紙ベース（レジンコート層８１＋紙８２＋レジンコート層８３＋ゼラチン乳剤層８４）からなり、その表面は紙８２自体の表面性、レジンコート層８１（及び／又は８３）の厚み、乳剤層８４の物性を反映する。
このとき、紙８２の表面を平滑化する、レジンコート層８１（８３）の厚みを厚くする、乳剤層８４の厚みを厚くする、乳剤層８４の溶媒比率を下げるなどで▲１▼と▲２▼の要件を満たすことは可能であるが、▲３▼を満たすことは難しい。
【００６９】
▲３▼の要件を満たすために、乳剤層８４にフィラーを入れることも好ましいが、色再現の観点から、フィラーの透明性と散乱のないことが重要となる。透明性と散乱のないことのためには、フィラーサイズを小さくすること、または、乳剤層８４を構成する樹脂成分とフィラーとの屈折率差を小さくすることが好ましい。但し、単にフィラーサイズを小さくするだけでは▲３▼の要件を満たすことができない。
▲３▼を満たすための好ましい手段としては、乳化層８４の塗布装置にカレンダー処理装置などの表面形状制御手段を具備させ、塗布した後にロール等で押圧してロール表面の形状を転写し、そして予め研磨やバフなどによって、▲１▼〜▲３▼の要件を満たすようにロール表面を加工しておけばよい。
【００７０】
【実施例】
以下に、本実施の形態モデルをより具体化した実施例を示す。
◎実施例１
−　有色トナー現像剤　−
以下の実施例において使用した有色トナー現像剤は、富士ゼロックス（株）製　：Ａ−Ｃｏｌｏｒ用のシアン現像剤、マゼンタ現像剤、イエロ現像剤、ブラック現像剤を用いた。有色トナーの平均粒径は７μｍだった。
−　透明トナー　−
結着樹脂にテレフタル酸／ビスフェノールＡエチレンオキサイド付加物／シクロヘキサンジメタノールから得た線状ポリエステル（モル比＝５：４：１、Ｔｇ＝６２度、Ｍｎ＝４５００、Ｍｗ＝１００００）を用い、これをジェットミルで粉砕した後、風力式分級機で分級することで、ｄ５０＝１１μｍの透明微粒子を作製した。この透明微粒子１００重量部に、下記の２種類の無機微粒子Ａ及びＢを高速混合機で付着させた。
無機微粒子ＡはＳｉＯ２　（シランカップリング剤で表面を疎水化処理、平均粒径０．０５μｍ、添加量　１．０重量部）である。無機微粒子ＢはＴｉＯ２　（シランカップリング剤で表面を疎水化処理、平均粒径０．０２μｍ、屈折率２．５、添加量　１．０重量部）である。
このトナーを有色トナーのブラック現像剤と同じキャリアと混合して、二成分現像剤を作成した。
【００７１】
−　カラー画像作製装置（作像ユニット）　−
画像形成装置として上述した図７のカラー画像形成装置を用いた。定着過程を除く画像形成プロセスの速度は１６０ｍｍ／ｓｅｃ．である。画像信号１００％部分での有色トナーの現像量が各色とも０．５（ｍｇ／ｃｍ２）となるように、トナーとキャリアとの重量比率、感光体ドラム３１帯電電位、露光量、現像バイアスを調整した。
−　基材　−
カラー画像作製に用いた基材１１としては、Ｎｅｖｅｒ　Ｔｅａｒ　Ｐａｐｅｒ（白色顔料を分散したＰＥＴ基材、Ｘｅｒｏｘ社製）を用いた。
−　透明トナーの現像　−
透明トナー像現像装置６５には、二成分現像装置を用いた。透明トナーの現像量が１．５（ｍｇ／ｃｍ２）となるように、トナーとキャリアとの重量比率、感光体ドラム３１の帯電電位、露光量、現像バイアスを調整した。
【００７２】
−　定着装置　−
定着ベルト４１は、厚さ８０μｍの導電性カーボンが分散されたポリイミドフイルムに、５０μｍ厚みのＫＥ４８９５シリコンゴム　（信越化学工業（株）製）を塗布したものを用いた。
また、二つの加熱ロール４２及び加圧ロール４６は、アルミニウム製の芯材の上に２ｍｍ厚みのシリコンゴム層を設けたものを用い、それらの中央に熱源としてハロゲンランプを配している。ロール４２，４６表面の温度は双方ともに１７５度に調節されている。
定着速度は３０ｍｍ／秒とした。
剥離位置での基材１１の温度は７０度となっている。
【００７３】
以下に得られた画像の評価方法を記述する。
＜面質官能評価＞
面質の官能評価は人物写真を元画像として、卓上蛍光灯下において、被評価画像の目視評価により行った。２０人の評価者を対象として、以下の５段階評価を行った。
１．非常に悪い
２．悪い
３．普通
４．良い
５．非常に良い
次に、その平均値を求めて、下記の基準で評価した。
××…平均値が２．５未満の場合
×‥‥２．５以上３．５未満の場合
○‥‥３．５以上の場合
また、用いたトナー材料の評価は以下の通り実施した。
分子量の測定はゲルパーミッションクロマトグラフィを用いた。溶剤にはテトラヒドロフランを用いた。
トナーの平均粒径はコールターカウンターを用いて測定して、重量平均のｄ５０を適用した。
【００７４】
◎実施例２
画像形成装置を図５に示すものに変えたこと以外は実施例１と同様な方法でカラー画像を作製した。
◎実施例３
カラー画像作製に用いた基材を以下の手順で作製したものに変更したこと以外は実施例１と同様の方法でカラー画像を作製した。
−　基材の作製方法　−
パルプ原料からなる厚さ１５０μｍの原紙の表面に、ポリエチレン樹脂１００重量部に対して、酸化チタンを３０重量部の割合で混合した光拡散層を３０μｍの厚さでラミネート被覆した。また、裏面にはポリエチレン樹脂を３０μｍの厚さでラミネート被覆し、さらに帯電防止剤としてコロイダルシリカを塗布した。
【００７５】
◎比較例１
実施例１と同じ装置で基材に未定着の有色トナー像を転写して、これを搬送装置にのせて、実施例１と同様の装置で透明トナー像を設けた。但し、定着ベルト４１の表面に塗布したシリコンゴムをＤＹ３５−７９６Ｃ（東レ（株）製）に変えたベルト材を使った。
◎比較例２
基材をＯＫ特アート紙（新王子製紙（株）製）に変更したこと以外、実施例１と同じ装置でカラー画像を作製した。
◎比較例３
実施例１と同じ元画像を使って、銀塩写真方式のピクトログラフィ３０００（富士写真フイルム（株）製）を使って反射プリントを作製した。
◎比較例４
実施例１と同じ元画像を使って、インクジェット方式のＰＭ−９００（エプソン（株）製）を使って、ＰＭ写真用紙（エプソン（株）製）に反射プリントを作製した。
◎比較例５
実施例１と同じ元画像を使って、インクジェット方式のＢＪＦ−８７０（キヤノン（株）製）を使って、プロフェッショナルフォトペーパー（キヤノン（株）製）に反射プリントを作製した。
◎比較例６
比較例４の画像にピクトログラフィ用ラミネーターを使って、透明ＰＥＴフイルムをラミネートした。
◎比較例７
実施例１の画像にピクトログラフィ用ラミネーターを使って、透明ＰＥＴフイルムをラミネートした。
【００７６】
評価結果を図１１に示す。
同図によれば、実施例１〜３が比較例１〜７に比べて優れた官能評価であることが理解され、また、実施例１〜３のいずれも、光学反射特性▲１▼〜▲３▼の評価値が適正範囲にあることが理解される。
【００７７】
【発明の効果】
以上説明したように、本発明によれば、例えばデジタル写真プリント画像などの画像構造に所定の光学反射特性を具備させるようにしたので、滑らかで光沢感が高い、傷やうねりの目立たない好ましい面質をもつ画像構造を提供することができるようになった。
また、本発明に係る画像形成装置によれば、上述した好ましい面質をもつ画像構造を簡単且つ確実に形成することができる。
【図面の簡単な説明】
【図１】（ａ）は本発明に係る画像構造を示す説明図、（ｂ）は本発明に係る画像構造を作成する画像形成装置の基本的構成を示す説明図、（ｃ）は本発明に係る画像構造を作成する画像形成装置の代表的態様を示す説明図である。
【図２】（ａ）は実施の形態１に係る画像構造を示す説明図、（ｂ）は変形形態に係る画像構造を示す説明図、（ｃ）は更に別の変形形態に係る画像構造を示す説明図である。
【図３】（ａ）は実施の形態１及び変形形態に係る画像構造の光学反射特性を求めるための評価装置例を示す説明図、（ｂ）は評価装置のアパーチャ形状を示す説明図である。
【図４】（ａ）（ｂ）は二次元撮像装置による撮像結果例を示す説明図である。
【図５】本発明に係る画像形成装置の実施の形態２を示す説明図である。
【図６】実施の形態２における画像の定着過程を示す説明図である。
【図７】本発明に係る画像形成装置の実施の形態３を示す説明図である。
【図８】実施の形態３における画像の定着過程を示す説明図である。
【図９】本発明に係る画像形成装置の実施の形態４を示す説明図である。
【図１０】本発明に係る画像形成装置の実施の形態４を示す説明図である。である。
【図１１】実施例１〜３及び比較例１〜７の各特性値及び官能評価を示す説明図である。
【符号の説明】
１…基材，２…カラートナー層，３…透明トナー層，５…作像ユニット，６…定着装置，６ａ…定着部材，７…加熱加圧手段，８…冷却剥離手段，Ｇ…画像，Ｂ…スリット光線
【図１】
2004012716.tif 000003
【図２】
2004012716.tif 000004
【図３】
2004012716.tif 000005
【図４】
2004012716.tif 000006
【図５】
2004012716.tif 000007
【図６】
2004012716.tif 000008
【図７】
2004012716.tif 000009
【図８】
2004012716.tif 000010
【図９】
2004012716.tif 000011
【図１０】
2004012716.tif 000012
【図１１】
2004012716.tif 000013